(57)【特許請求の範囲】
【請求項１】
外周面に雄ねじ部を有して天井等に取付けられるランプソケットと、このランプソケットに挿通される挿通孔を有して外周縁が天井面に当接するフランジと、前記雄ねじ部に螺合する筒状の雌ねじ部を有しこの雌ねじ部の一端に一端が連設されて他端が前記雌ねじ部の他端に向けて拡径し外周面が中心軸に対して傾斜した押さえ筒部を有して前記押さえ筒部の前記他端で前記フランジを押えるホルダーナットとを備え、前記押さえ筒部の前記外周面の中心軸に対する傾斜角を４０度以上とし、前記ホルダーナットは前記押さえ筒部のフランジ側端部に形成された放熱部形成用の切欠を有する照明器具。
【請求項２】
前記押さえ筒部の前記外周面の前記一端側の前記傾斜角が４５度となり前記他端側の前記傾斜角が４０度となり、前記外周面が凹曲面をなしている請求項１記載の照明器具。
【請求項３】
前記ホルダーナットは樹脂製であり、前記雌ねじ部と前記押さえ筒部との間に金属製のドーナツ状補強部材を嵌め込んでいる請求項１記載の照明器具。
【請求項４】
前記ホルダーナットは樹脂製であり、前記雄ねじ部に螺合する穴部を有する金属製の補強板を前記雌ねじ部に設けている請求項１記載の照明器具。
【発明の詳細な説明】
【０００１】
【産業上の利用分野】
この発明は、照明器具に関するものである。
【０００２】
【従来の技術】
第１の従来例を図１０に示す。すなわち、この照明器具は、天井に取付けた引掛シーリングボディ７０を木ねじ７１で天井に取付け、栓刃７２の付いたランプソケット７３を引掛シーリングボディ７０に接続している。７４はランプソケット７３に支持されたグローブ、７５はランプソケット７３に装着された白熱ランプである。
【０００３】
第２の従来例を図１１に示す。すなわち、この照明器具は、外表面にホルダ用雄ねじ部７６を設けたランプソケット７３を取付けたソケット台７７を天井に取付け、ランプソケット７３にフランジ７８を通し、ホルダ用雄ねじ部７６にホルダーナット７９を螺合してフランジ７８を天井に固定している。８０は端子台である。
【０００４】
第３の従来例（実開昭57-6813 号) を図１２に示す。すなわち、この照明器具は、天井に取付けられた雄ねじ部７６の付いたランプソケット７３にグローブ７４を通し、グローブ７４に雌ねじ部８１と押さえ筒部８２を有するホルダーナット７９を雄ねじ部７６に取付けてグローブ７４を支持している。
【０００５】
【発明が解決しようとする課題】
しかし、第１の従来例は、ランプソケット７３でグローブ７４がランプソケット７３に載せ置かれているだけで、引掛シーリングボディ７０にはランプソケット７３等の重量以外に力が加わらないが、引掛シーリングボディ７０が外部から見えるので外観が悪く、またグローブ７４が動きやすいのでランプソケット７３の着脱が容易でない。
【０００６】
第２の従来例は、ホルダーナット７９をランプソケット７３の雄ねじ部７６に締めつけると、フランジ７８が天井に当たるため、締付け過ぎによりソケット台７７にランプソケット等の自重以外に過大な力が加わる。
第３の従来例は、ホルダーナット７９が回転しやすい形状であるため、グローブ７４の自重以外にグローブ７４を固定したときランプソケット７６の取付け部分に過大な引張力が加わり、天井に直接取付けの場合木ねじに、また引掛シーリング等の配線器具の場合木ねじおよび栓刃に、それぞれ過大な引張力が加わるのでランプソケットや配線器具の破損の原因となる。
【０００７】
したがって、この発明の目的は、ホルダーナットの締めすぎによってランプソケットの取付側に大きな引張力が加わらないようにすることができる照明器具を提供することである。
【０００８】
【課題を解決するための手段】
請求項１の照明器具は、外周面に雄ねじ部を有して天井等に取付けられるランプソケットと、このランプソケットに挿通される挿通孔を有して外周縁が天井面に当接するフランジと、前記雄ねじ部に螺合する筒状の雌ねじ部を有しこの雌ねじ部の一端に一端が連設されて他端が前記雌ねじ部の他端に向けて拡径し外周面が中心軸に対して傾斜した押さえ筒部を有して前記押さえ筒部の前記他端で前記フランジを押えるホルダーナットとを備え、前記押さえ筒部の前記外周面の中心軸に対する傾斜角を４０度以上とし、前記ホルダーナットは前記押さえ筒部のフランジ側端部に形成された放熱部形成用の切欠を有するものである。
【０００９】
請求項２の照明器具は、請求項１において、前記押さえ筒部の前記外周面の前記一端側の前記傾斜角が４５度となり前記他端側の前記傾斜角が４０度となり、前記外周面が凹曲面をなしているものである。
請求項３の照明器具は、請求項１において、前記ホルダーナットが樹脂製であり、前記雌ねじ部と前記押さえ筒部との間に金属製のドーナツ状補強部材を嵌め込んでいるものである。
【００１０】
請求項４の照明器具は、請求項１において、前記ホルダーナットが樹脂製であり、前記雄ねじ部に螺合する穴部を有する金属製の補強板を前記雌ねじ部に設けているものである。
【００１２】
【作用】
請求項１の照明器具によれば、天井等に取付られたランプソケットにフランジのみまたはフランジとセード等を通してホルダーナットを雄ねじ部に螺合し、押さえ筒部をフランジ等に押してフランジの上端部を天井等に押し付け固定する。この場合、ホルダーナットの押さえ筒部は一端が雌ねじ部の一端に連設されて他端が前記雌ねじ部の他端に向けて拡径するとともに外周面が中心軸に対して傾斜し、その傾斜角を中心軸に対して略４０度以上としたため、押さえ筒部の外周面を把持して操作しにくく、そのためホルダーナットの締付け時に過大な締付けトルクがフランジに加わりにくいので、締付けすぎによりランプソケットや引掛シーリングを破損するおそれがない。
また、前記ホルダーナットが放熱部を有するため、放熱部を通じて対流による放熱が可能となるので、ランプ口金付近やホルダーナット付近の温度上昇を低減することができ、またホルダーナットの回し始めのときに指のかかりができるので回しやすい。
この場合、前記放熱部を前記押さえ筒部のフランジ側端部に形成された切欠としたため、セード等をもって回転したとき、ホルダーナットとセード等の間の摩擦力が小さいのでホルダーナットが共回りしなくなり、ホルダーナットの割れや配線器具の破損等の危険を低減できる。
【００１３】
請求項２の照明器具によれば、請求項１において、前記押さえ筒部の外周面が凹曲面をなしているため、指がかかるような突起もないので、請求項１と同様な作用がある。
請求項３の照明器具によれば、請求項１において、前記ホルダーナットが樹脂製であり、前記雌ねじ部と前記押さえ筒部との間に金属製のドーナツ状補強部材を嵌め込んでいるため、請求項１の作用のほか、ホルダーナットの外周部が割れることがあっても、補強部材がフランジないしセードを支えるのでフランジ等が落下しない。
【００１４】
請求項４の照明器具によれば、請求項１において、前記ホルダーナットが樹脂製であり、前記雄ねじ部に螺合する穴部を有する金属製の補強板を前記雌ねじ部に設けているため、請求項１の作用のほか、雌ねじ部が割れても補強板が螺合している部分は割れないのでフランジないしセードは落下しない。
【００１６】
【実施例】
この発明の第１の実施例を図１ないし図３により説明する。すなわち、この照明器具は、ランプソケット１と、フランジ２と、ホルダーナット３とを有する。ランプソケット１は、天井等に取付けられるものであって外周面に雄ねじ部４を形成している。実施例のランプソケット１は白熱電球１２等の雄ねじを有する口金をねじ込ませるねじ込みソケット部５と、ねじ込みソケット部５の後端部に設けられてねじ込みソケット部５よりも径の大きいつば部６とからなり、つば部６に天井の引掛シーリングの受刃（図示せず）に接続する栓刃７を設けている。したがって、引掛シーリングの受刃にランプソケット１の栓刃７を接続すると、ランプソケット１が天井に電気的機械的に接続されたこととなる。
【００１７】
フランジ２は、ランプソケット１に挿通される挿通孔８を有して外周縁９が天井面に当接する。このフランジ２は引掛シーリングおよびランプソケット１の上端部を被覆する。
ホルダーナット３は、雄ねじ部４に螺合する筒状の雌ねじ部１０を有し、この雌ねじ部１０の一端に一端が連設されて他端が雌ねじ部１０の他端に向けて拡径し外周面が中心軸に対して傾斜した押さえ筒部１１を有して、押さえ筒部１１の前記他端でフランジ２を押えるが、押さえ筒部１１の雌ねじ部１０の中心軸に対する傾斜角を略４０度以上としている。
【００１８】
実施例のホルダーナット３の押さえ筒部１１は、図２に示すように下端側における中心軸に対する傾斜角Φ1 が約４５度の傾斜角をなし、上端側では傾斜角が約４０度となっている。また押さえ筒部１１の外周面は凹曲面１４となっている。
また、このホルダーナット３は樹脂製であり、雌ねじ部１０と押さえ筒部１１との間に金属製のドーナツ状補強部材１５を嵌め込み固定ねじ１６でホルダナット３に形成したねじ孔１９にねじ込んで固定している。さらに押さえ筒部１１のフランジ側端部１７に切欠を形成することにより放熱部１８を設けている。なお補強部材１５は放熱部１８よりも内方に位置している。
【００１９】
さらに実施例では押さえ筒部１１のフランジ側端部１７でセード１３を支持しており、セード１３を介してフランジ２を押さえ固定している。
この実施例によれば、天井等に取付られたランプソケット１にフランジ２のみまたはフランジ２とセード１３等を通してホルダーナット３を雄ねじ部４に螺合し、押さえ筒部１１をフランジ２等に押してフランジ２の上端部を天井等に押し付け固定する。
【００２０】
この場合、ホルダーナット３の押さえ筒部１１は一端が雌ねじ部１０の一端に連設されて他端が雌ねじ部１０の他端に向けて拡径するとともに外周面が中心軸に対して傾斜し、その傾斜角を中心軸に対して略４０度以上としたため、押さえ筒部１１の外周面を把持して操作しにくく、そのためホルダーナット３の締付け時に過大な締付けトルクがフランジ２に加わりにくいので、締付けすぎによりランプソケット１や引掛シーリングを破損するおそれがない。具体的には栓刃７や引掛シーリング取付用の木ねじに異常な力が加わらず、配線器具の破損防止となる。通常ガラス製やプラスチック製であるセード１３に無理な力が加わらず、しかも樹脂製であるホルダーナット３自体に無理な力が加わらず破損防止となる。
【００２１】
また樹脂製のホルダーナット３の雌ねじ部１０と押さえ筒部１１との間に金属製のドーナツ状補強部材１５を嵌め込んでいるため、ホルダーナット３の外周部が割れることがあっても、補強部材１５がフランジ２ないしセード１３を支えるのでフランジ２等が落下しない。
さらに、ホルダーナット３が放熱部１８を有するため、放熱部１８を通じて対流による放熱が可能となるので、ランプ口金付近やホルダーナット３付近の温度上昇を低減することができ、またホルダーナット３の回し始めのときに指のかかりができるので回しやすい。とくに、放熱部１８を押さえ筒部１１のフランジ側端部１７に形成された切欠としたため、セード１３等をもって回転したとき、ホルダーナット３とセード１３等の間の摩擦力が小さいのでホルダーナット３が共回りしなくなり、ホルダーナット３の割れや配線器具の破損等の危険を低減できる。
【００２２】
この発明の第２の実施例を図４に示す。すなわち、この照明器具は、放熱部１８のないホルダーナット３のドーナツ状補強部材１５をフランジ側端部１７の端面から見えないように、フランジ側端部１７よりも一段落ちたところに嵌合されている。実施例のドーナツ状補強部材１５は円板状に形成され、外径は押さえ筒部１１の上端部の内径程度であり、内径は雌ねじ部１０の外径程度にしている。またドーナツ状補強部材１５の外径はセード１３のランプソケット挿通部１３ａの内径よりも大きく形成している。その他は第１の実施例と同様である。
【００２３】
この実施例によれば、万一ホルダーナット３の雌ねじ部１０が破損しても、ドーナツ状補強部材１５の中央穴が当接している部分だけは砕け散ることがないため、セード１３の落下を防げる。また万一ホルダーナット３のフランジ側端部１７が破損しても、ドーナツ状補強部材品１５の外径がセード１３のソケット挿通部１３ａの内径よりも大きいためセード１３の落下を防げる。
【００２４】
この発明の第３の実施例を図５に示す。すなわち、この照明器具は、第１の実施例の補強部材１５に代えて、放熱部１８のないホルダーナット３の雌ねじ部１０に、雄ねじ部４に螺合する穴部２１を有する金属製の補強板２０を設けている。実施例では雌ねじ部１０の端面に補強板２０を取付け、外径はセード１３のランプソケット挿通部１３ａよりも大きく、押さえ筒部１１よりも小さくしている。その他は第１の実施例と同様である。
【００２５】
この実施例によれば、雌ねじ部１０が割れても補強板２０が螺合している部分は割れないのでフランジ２ないしセード１３は落下しない。またホルダーナット３の雌ねじ部１０およびフランジ側端部１７がともに破損した場合も、補強板２０がランプソケット１と螺合していることにより、補強板２０が落下することはなく、セード１３の落下を防げる。その他、補強部材１５の作用も兼用するほか、第１の実施例と同様な作用効果がある。
【００２６】
この発明の第４の実施例を図６および図７に示す。すなわち、この照明器具は、第１の実施例において、ランプソケット１のねじ込みソケット部５の後端部の両側に一対の突出部６′を形成し、この突出部６′のランプソケット１の後端面側に引掛シーリング２２の受刃に接続する栓刃７を設けている。フランジ２はランプソケット１の後端面の突出部６′を含む形状に嵌合する挿通孔８を有し、この挿通孔８に嵌合した状態で外周縁９が天井に当接する。またホルダーナット３は、図７に示すように外周面を凸曲面に形成するとともにフランジ側端部１７を外つば状に形成するとともに放熱部１８を多数の孔により形成している。その他の構成および作用効果は、第１の実施例と同様である。
【００２７】
図８は第４の実施例のホルダーナット３の変形例であり、放熱部１８が縦孔の場合である。図９はホルダーナット３の外つば状のフランジ側端部１７に切欠により放熱部１８を形成している。
なお、この照明器具は、引掛シーリングボディの受刃に接続する栓刃を有するランプソケットを用いたが、ソケット台が天井等に直接取付けられるものでも、ソケット台を天井に取付ける木ねじにホルダーナットの締めすぎによる過大な力が加わるので適用可能である。またセード１３のほかグローブ等の配光制御部材をホルダーナット３により固定することができる。
【００２８】
【発明の効果】
請求項１の照明器具によれば、ホルダーナットの押さえ筒部は一端が雌ねじ部の一端に連設されて他端が前記雌ねじ部の他端に向けて拡径するとともに外周面が中心軸に対して傾斜し、その傾斜角を中心軸に対して略４０度以上としたため、押さえ筒部の外周面を把持して操作しにくく、そのためホルダーナットの締付け時に過大な締付けトルクがフランジに加わりにくいので、締付けすぎによりランプソケットや引掛シーリングを破損するおそれがないという効果がある。
また、前記ホルダーナットが放熱部を有するため、放熱部を通じて対流による放熱が可能となるので、ランプ口金付近やホルダーナット付近の温度上昇を低減することができ、またホルダーナットの回し始めのときに指のかかりができるので回しやすい。
この場合、前記放熱部を前記押さえ筒部のフランジ側端部に形成された切欠としたため、セード等をもって回転したとき、ホルダーナットとセード等の間の摩擦力が小さいのでホルダーナットが共回りしなくなり、ホルダーナットの割れや配線器具の破損等の危険を低減できる。
【００２９】
請求項２の照明器具によれば、請求項１において、前記押さえ筒部の外周面が凹曲面をなしているため、指がかかるような突起もないので、請求項１と同様な効果がある。
請求項３の照明器具によれば、請求項１において、前記ホルダーナットが樹脂製であり、前記雌ねじ部と前記押さえ筒部との間に金属製のドーナツ状補強部材を嵌め込んでいるため、請求項１の効果のほか、ホルダーナットの外周部が割れることがあっても、補強部材がフランジないしセードを支えるのでフランジ等が落下しない。
【００３０】
請求項４の照明器具によれば、請求項１において、前記ホルダーナットが樹脂製であり、前記雄ねじ部に螺合する穴部を有する金属製の補強板を前記雌ねじ部に設けているため、請求項１の効果のほか、雌ねじ部が割れても補強板が螺合している部分は割れないのでフランジないしセードは落下しない。
【図面の簡単な説明】
【図１】この発明の第１の実施例の分解斜視図である。
【図２】そのホルダーナットの半断面側面図である。
【図３】ホルダーナットの平面図である。
【図４】第２の実施例の断面図である。
【図５】第３の実施例の断面図である。
【図６】第４の実施例の分解斜視図である。
【図７】そのホルダーナットの側面図である。
【図８】その変形例のホルダーナットの側面図である。
【図９】他の変形例のホルダーナットの斜視図である。
【図１０】第１の従来例の分解斜視図である。
【図１１】第２の従来例の分解斜視図である。
【図１２】第３の従来例の断面図である。
【符号の説明】
１    ランプソケット
２    フランジ
３    ホルダーナット
４    雄ねじ部
８    挿通孔
９    外周縁
１０    雌ねじ部
１１    押さえ筒部
【図１】
0003769765.tif 000002
【図２】
0003769765.tif 000003
【図３】
0003769765.tif 000004
【図４】
0003769765.tif 000005
【図５】
0003769765.tif 000006
【図６】
0003769765.tif 000007
【図７】
0003769765.tif 000008
【図８】
0003769765.tif 000009
【図９】
0003769765.tif 000010
【図１０】
0003769765.tif 000011
【図１１】
0003769765.tif 000012
【図１２】
0003769765.tif 000013